(57)【特許請求の範囲】
【請求項１】
クレーンを設置して建屋（１）の屋上に塔状鉄骨構造物（２）を構築する塔状鉄骨構造物の建設方法において、鉄骨構造の建屋（１）の屋上に複数の支柱を立設して、その中央部にクライミング方式のクレーン（１５）を設置し、その外周に外面飾り（３）を取り付け、前記支柱に複数の梁材（６）を設けてその先端部に昇降手段（１６）を取り付け、かつ作業部分を覆う外部養生囲い（１０）を吊設しており、  その外部養生囲い（１０）内でクレーン（１５）によって既設支柱上に次節の支柱を継ぎ足し、その下に外面飾り（３）を取り付け、クライミングクレーンのクライミングを行い、梁材（６）に取り付けられた昇降手段（１６）を最上部の梁材（６Ａ）に盛り替えを行って昇降手段（１６）により外部養生囲い（１０）をクライミングし、そして外部養生囲い（１０）を固定係留する、これらの工程を順次繰り返して塔状鉄骨構造物を構築することを特徴とする塔状鉄骨構造物の建設方法。
【発明の詳細な説明】
【０００１】
【発明の属する技術分野】
本発明は、アンテナ鉄塔等の塔状鉄骨構造物を建屋の屋上に構築する塔状鉄骨構造物の建設方法に関する。
【０００２】
【従来の技術】
従来、塔状鉄骨構造物（以下、鉄塔と記す）の構築には、タワークレーン等の鉄骨建方機械を鉄塔からのステーなどのつなぎを設け転倒防止を図って配設し、ポストを付け足してクライミングさせ作業を行うのが一般的であった（例えば、特開平１１−２０９０７３号公報参照）。
そして、鉄骨の錆止め・塗装など外部養生を行う場合には、タワークレーン等のつなぎ材があるので、その囲いは一体ものではなく分割したものであり、また、囲いの昇降（クライミング）の際には分割して行っていた。
このため、外部養生囲いの継ぎ目部分からの風の吹き込み、あるいは分割してのクライミング途中の風圧による飛散や落下の防止などの安全対策が必要であった。
【０００３】
【発明が解決しようとする課題】
本発明は上記問題点に対処し、タワークレーンのステーなどのための継ぎ目部分によって生じる風散や落下を防止し、高所作業の安全性を高めると共に施工性の向上を図った塔状鉄骨構造物の建設方法を提供することを目的としている。
【０００４】
【課題を解決するための手段】
本発明によれば、クレーンを設置して建屋（１）の屋上に塔状鉄骨構造物（２）を構築する塔状鉄骨構造物の建設方法において、鉄骨構造の建屋（１）の屋上に複数の支柱を立設して、その中央部にクライミング方式のクレーン（１５）を設置し、その外周に外面飾り（３）を取り付け、前記支柱に複数の梁材（６）を設けてその先端部に昇降手段（１６）を取り付け、かつ作業部分を覆う外部養生囲い（１０）を吊設しており、  その外部養生囲い（１０）内でクレーン（１５）によって既設支柱上に次節の支柱を継ぎ足し（鉄骨建方工程）、その下に外面飾り（３）を取り付け（外面飾り取り付け工程）、クライミングクレーンのクライミングを行い（クレーンクライミング工程）、梁材（６）に取り付けられた昇降手段（１６）を最上部の梁材（６Ａ）に盛り替えを行って昇降手段（１６）により外部養生囲い（１０）をクライミングし（外部養生囲いクライミング工程）、そして外部養生囲い（１０）を固定係留する、これらの工程を順次繰り返して塔状鉄骨構造物を構築する。
【０００５】
したがって、本発明によれば、中央部にクライミング方式のクレーンを設置し、作業部分を覆う一体枠状の外部養生囲いを設けてその囲いの中で鉄骨の建方、外面飾りの取り付けなどの工事を行うので、従来のようにタワークレーンのステーなどのための継ぎ目部分がなく、作業者の安全が確保されると共に、落下物や風散等が防止できる。そして、外部養生囲いを一体で昇降させ、自動運転も容易で施工性が向上する。
【０００６】
【発明の実施の形態】
以下、図面を参照して本発明の実施の形態を説明する。
図１は、鉄塔工事の全体計画を示しており、鉄骨構造の建屋１の屋上に鉄塔２を構築中の状態が示されている。図において、複数の支柱が屋上に立設され、その中央部にクライミングクレーン１５が設置され、支柱部分が順次上方に継ぎ足されており、その外周には外面飾り（アルミパネル）３が取り付けられて鉄塔２が構築されている。なお、符号１４は、屋上に設置されたタワークレーンを示している。
【０００７】
図２〜図４には、鉄塔の作業部分の詳細が示されている。
図２の平面図に示すように、本例では、４本のメーンの支柱２ａが方形に立設されており、その内方に立設された４本の小径の支柱２ｂにクライミングクレーン１５が係着されている。
【０００８】
また、これらの支柱に支持されて水平方向に伸びる複数の梁材６が設けられており、その梁材６の先端部には、ガイドレール１２の受け治具や昇降手段である電動チェーンブロック１６がそれぞれ取り付けられ、そして、作業部分を覆って一体枠状の外部養生囲い１０が吊設されている。
その外部養生囲い１０は、図３および図４に示すように仮設用トラス部材を用いて複数段の枠状に形成され、その外周面には防炎メッシュシートが張られている。
【０００９】
次に、図５〜図１２を参照して本発明による塔状鉄骨構造物の建設方法の手順の概要を説明する。
図５〜図８は、鉄塔を１節分継ぎ足す工程を示している。まず、図５に示すように、外部養生囲い１０内において、クライミングクレーン１５によって既設鉄骨上部に第Ｎ節の鉄骨（支柱２ａ、２ｂなど）を継ぎ足し、本締め、溶接等を行う（鉄骨建方工程）。そして、その下の第Ｎ−１節の鉄骨周縁にアルミパネル３を取り付ける（外面飾り取り付け工程：図６参照）。
【００１０】
さらに、中央部のクライミングクレーン１５のクライミングを行って（クレーンクライミング工程：図７参照）、最後に、電動チェーンブロック１６によって外部養生囲い１０をクライミングする（外部養生囲いクライミング工程：図８参照）。
【００１１】
次に、図９〜図１２を参照し、前記図８の外部養生囲い１０のクライミングの段取りおよび固定係留する手順を詳しく説明する。
まず、図９に示すように、梁材６の先端部に取り付けられていたガイドレール・チェーンブロックの受治具１７を最上部の梁材６Ａに盛り替えを行う。
そして、その最上部に盛り替えた受治具１７にチェーンブロック１６の盛り替えを行う（図１０参照）。次に、補強材１８の解体、自動制御装置および配線（図示なし）の盛り替えを行い（図１１参照）、各チェーンブロック１６を自動制御により同時に運転して外部養生囲い１０をクライミングし、係留固定して補強材１８の取り付けを行う（図１２参照）。
【００１２】
【発明の効果】
本発明は以上説明したように構成され、以下の効果を奏する。
（１）  作業部分を覆う一体枠状の外部養生囲い内で鉄骨の建方、外面飾りの取り付けなどの工事を行うので、従来のようにタワークレーンのステーなどのための継ぎ部分がなく安定した作業環境となり、作業者の安全が確保され、落下物や風散等が防止できて、高所作業の安全が確保される。
（２）  外部養生囲いを一体で昇降させ、自動運転も容易であって施工性が向上する。
【図面の簡単な説明】
【図１】本発明の塔状鉄骨構造物の建設方法の全体構成を示す正面図。
【図２】外部養生囲いを示す平面図。
【図３】図２の長辺側を示す正面図。
【図４】図２の短辺側を示す正面図。
【図５】鉄骨建方工程を示す側面図。
【図６】外面飾りの取り付け工程を示す側面図。
【図７】クレーンクライミング工程を示す側面図。
【図８】外部養生囲いクライミング工程を示す側面図。
【図９】治具の盛り替えの状態を示す正面図。
【図１０】チェーンブロックの盛り替えの状態を示す正面図。
【図１１】補強材解体の状態を示す正面図。
【図１２】外部養生囲いクライミングの状態を示す正面図。
【符号の説明】
１・・・建屋
２・・・鉄塔
３・・・外面飾り
１０・・・外部養生囲い
１４・・・タワークレーン
１５・・・クライミングクレーン
１６・・・電動チェーンブロック
【図１】
0004437364.tif 000002
【図２】
0004437364.tif 000003
【図３】
0004437364.tif 000004
【図４】
0004437364.tif 000005
【図５】
0004437364.tif 000006
【図６】
0004437364.tif 000007
【図７】
0004437364.tif 000008
【図８】
0004437364.tif 000009
【図９】
0004437364.tif 000010
【図１０】
0004437364.tif 000011
【図１１】
0004437364.tif 000012
【図１２】
0004437364.tif 000013